(57)【特許請求の範囲】
【請求項１】
流検弁の二次側配管に、消火装置が設けられた大容量放出口と、定流量弁が設けられた小容量放出口と、をそれぞれ開閉可能に設けた消火設備において；
前記流検弁の作動流量が、前記大容量放出口の流量より小さく、かつ、前記定流量弁の流量より大きく設定され、
前記流検弁は、弁座に当接するデイスクと、該デイスクの上面側に設けられ、前記弁座に向って付勢するスプリングとを備えており、
前記小容量放出口又は大容量放出口の開放により、弁座に当接して閉弁しているデイスクが移動して開弁し前記流検弁の一次側配管内の水が前記二次側配管内に流れ込み、又、前記開放された小容量放出口を閉じることにより、前記二次側配管内には水の流れがなくなり、前記スプリングにより閉弁するものであって、
前記小容量放出口の開放による前記デイスクの移動量は僅かであるために前記流検弁はオフ状態を維持し、前記大容量放出口の開放による前記デイスクの移動量は前記小容量放出口の開放時における移動量より大きいため前記流検弁はオン状態を維持することを特徴とする流水検知装置付消火設備。
【請求項２】
前記大容量放出口として、異なる容量レベルを持つ複数の放出口を設け、前記流検弁として、前記異なる容量レベルを持つ複数の放出口に対応した複数の異なる作動流量の流検弁を直列に設けたことを特徴とする請求項１記載の流水検知装置付消火設備。
【請求項３】
流検弁の二次側配管に、消火装置が設けられた大容量放出口と、定流量弁が設けられた複数の小容量放出口と、をそれぞれ開閉可能に設けた消火設備において；
前記流検弁の作動流量が、前記大容量放出口の流量より小さく、かつ、前記定流量弁が設けられた複数の小容量放出口の流量合計より大きく設定され、
前記流検弁は、弁座に当接するデイスクと、該デイスクの上面側に設けられ、前記弁座に向って付勢するスプリングとを備えており、
前記小容量放出口又は大容量放出口の開放により、弁座に当接して閉弁しているデイスクが移動して開弁し前記流検弁の一次側配管内の水が前記二次側配管内に流れ込み、又、前記開放された小容量放出口を閉じることにより、前記二次側配管内には水の流れがなくなり、前記スプリングにより閉弁するものであって、
前記複数の小容量放出口の開放による前記デイスクの移動量は僅かであるために前記流検弁はオフ状態を維持し、前記大容量放出口の開放による前記デイスクの移動量は前記複数の小容量放出口の開放時における移動量より大きいため前記流検弁はオン状態を維持することを特徴とする流水検知装置付消火設備。
【発明の詳細な説明】
【０００１】
【発明の属する技術分野】
この発明は、上水道又は二次用水の水道配管がスプリンクラ配管として用いられる流水検知装置付消火設備に関するものである。
【０００２】
【従来の技術】
従来の、例えば一般家庭に於ける消火設備は、消火設備配管に順次、第１流水検知装置、閉鎖型スプリンクラヘッド、第２流水検知装置、生活用水栓、を直列に配設し、この第１及び第２検知装置により、火災が発生し閉鎖型スプリンクラヘッドが開放されたか否かをチェックしている。
【０００３】
即ち、生活用水栓を開放し、トイレ等で消火設備配管内の水を使用すると、第１流水検知装置と第２流水検知装置とに水が流れるので、両装置が流水信号を発する。そのため、生活用水栓が使用されていることがわかる。
これに対し、火災等で閉鎖型スプリンクラヘッドが開放すると、第２流水検知装置には水が流れない。そのため、第１流水検知装置のみが流水信号を発するので、閉鎖型スプリンクラヘッドが開放されていることがわかる。
【０００４】
【発明が解決しようとする課題】
従来例では、流水検知装置が、２台必要であり、かつ、その２台の流水検知装置からの流れ信号をチェックし判断しなければならない。
そのため、機器費用、工事費が嵩みコストアップとなる。
【０００５】
この発明は、上記事情に鑑み、簡単に、かつ、確実に流水検知できる様にすることを目的とする。
【０００６】
この発明は、流検弁の二次側配管に、消火装置が設けられた大容量放出口と、定流量弁が設けられた小容量放出口と、をそれぞれ開閉可能に設けた消火設備において；前記流検弁の作動流量が、前記大容量放出口の流量より小さく、かつ、前記定流量弁の流量より大きく設定され、前記流検弁は、弁座に当接するデイスクと、該デイスクの上面側に設けられ、前記弁座に向って付勢するスプリングとを備えており、前記小容量放出口又は大容量放出口の開放により、弁座に当接して閉弁しているデイスクが移動して開弁し前記流検弁の一次側配管内の水が前記二次側配管内に流れ込み、又、前記開放された小容量放出口を閉じることにより、前記二次側配管内には水の流れがなくなり、前記スプリングにより閉弁するものであって、前記小容量放出口の開放による前記デイスクの移動量は僅かであるために前記流検弁はオフ状態を維持し、前記大容量放出口の開放による前記デイスクの移動量は前記小容量放出口の開放時における移動量より大きいため前記流検弁はオン状態を維持することを特徴とする流水検知装置付消火設備、である。
この発明は、流検弁の二次側配管に、消火装置が設けられた大容量放出口と、定流量弁が設けられた複数の小容量放出口と、をそれぞれ開閉可能に設けた消火設備において；  前記流検弁の作動流量が、前記大容量放出口の流量より小さく、かつ、前記定流量弁が設けられた複数の小容量放出口の流量合計より大きく設定され、前記流検弁は、弁座に当接するデイスクと、該デイスクの上面側に設けられ、前記弁座に向って付勢するスプリングとを備えており、前記小容量放出口又は大容量放出口の開放により、弁座に当接して閉弁しているデイスクが移動して開弁し前記流検弁の一次側配管内の水が前記二次側配管内に流れ込み、又、前記開放された小容量放出口を閉じることにより、前記二次側配管内には水の流れがなくなり、前記スプリングにより閉弁するものであって、前記複数の小容量放出口の開放による前記デイスクの移動量は僅かであるために前記流検弁はオフ状態を維持し、前記大容量放出口の開放による前記デイスクの移動量は前記複数の小容量放出口の開放時における移動量より大きいため前記流検弁はオン状態を維持することを特徴とする流水検知装置付消火設備、である。
【０００７】
【発明の実施の形態】
流水検知弁即ち流検弁、の二次側配管に大容量放出口と小容量放出口とをそれぞれ開閉可能に設ける。この流検弁の作動流量は、大容量放出口の流量より小さく、かつ、小容量放出口の流量より大きい。
本発明は大容量放出口と小容量放出口との流量差を利用し、大容量放出口からの放水を検出するものである。
【０００８】
大容量放出口には、閉鎖型スプリンクラヘッドが設けられているが、他の消火装置、例えば、消火栓を連通させてもよい。
【０００９】
小容量放出口には、定流量弁が設けられる。この定流量弁は、大容量放出口の下流側に設けられているが、その上流側に設けても良い。
【００１０】
【実施例】
この発明の第１実施例を図１、図２により説明する。
流検弁１の一次側配管１０には、逆止弁１１と停止弁１２とが設けられ、その二次側配管２０には、住宅用スプリンクラヘッド２１と定流量弁２２とが設けられている。
【００１１】
流検弁１は図２に示す様に、弁座２３に当接するディスク２４と、該ディスク２４に連結されたマグネット２５と、該マグネット２５と対向する近接スイッチであるリードスイッチ２６と、を備えている。
このディスク２４の上面側には、弁座２３に向かって付勢するスプリング２７が設けられ、又、その下面側には、該ディスク２４の摺動を円滑にするガイド部２８が設けられている。
【００１２】
流検弁１の作動流量は２０Ｌ／min.であり、該ヘッド２１の流量は３０Ｌ／min.であり、又、定流量弁２２の流量は１０Ｌ／min.である。
即ち、流検弁１の作動流量は該ヘッド２１の流量より小さく、かつ、定流量弁２２の流量より大きく設定されている。
【００１３】
図において、２９はトイレ、風呂などのバルブ、３０は排水弁、３１はバルブ、３２は圧力計、３３はトイレのタンク、風呂等の浴槽、３４はコントロールボックス、をそれぞれ示す。
【００１４】
次に本実施例の作動について説明する。
トイレのバルブ２９が開かれると、定流量弁２２により、一定流量、即ち、１０Ｌ／min.の水がトイレのタンク３３に放出されるとともに、二次側配管２０内の水圧は低下する。
そのため、水ｗにより押圧されているディスク２４は矢印Ａ１方向に移動し開弁するので、一次側配管１０内の水ｗは二次側配管２０内に流れ込む。
【００１５】
この時、ディスク２４の移動に伴いマグネット２５も同方向に移動するが、その移動量はごくわずかである。
そのため、マグネット２５はリードスイッチ２６をオンできる程近接しないので、リードスイッチ２６はオフの状態を維持する。
このように、定流量弁２２が閉鎖型スプリンクラヘッド２１の下流側に設けられているので、バルブ２９が開かれているために、該２次側配管２０内に留まっていた水は全部排出される。そのため、死水の発生を防止することができる。
【００１６】
バルブ２９が閉じられると、二次側配管２０内には水の流れがなくなるので、、流検弁１はスプリング２７によって閉じられる。
【００１７】
火災により該ヘッド２１が開くと、二次側配管２０内の水は該ヘッド２１から３０Ｌ／min.の流量で放出されるとともに、二次側配管２０内の水圧は低下する。そのため、水ｗにより押圧されているディスク２４は矢印Ａ１方向に移動し、開弁するので、１次側配管１０内の水ｗは２次側配管２０内に流れ込む。
【００１８】
この時、ディスク２４の移動に伴いマグネット２５も同方向に移動するがその流量が２０Ｌ／min.より大きいので、その移動量は大きい。そのため、マグネット２５はリードスイッチ２６に近接し、該リードスイッチ２６をオンさせるので、該ヘッド２１から放水されていることを知ることができる。
【００１９】
この発明の実施例は上記に限定されるものではなく、例えば、次の様に構成してもよい。
（１）閉鎖型スプリンクラヘッド２１の下流側に定流量弁２２を設ける代わりに、その上流側若しくはその中途で分岐させて定流量弁を設けても良い。
【００２０】
（２）閉鎖型スプリンクラヘッド２１の代わりに、該ヘッドと同流量の消火栓を設けてもよい。
（３）流検弁を用いる代わりに、流量計を用い、流量により定流量弁が開かれたのか、又はスプリンクラヘッドが開かれたのかを検出し、警報を発してもよい。
従って、この流検弁の概念には、流量計も含まれる。
【００２１】
（４）定流量弁は一個ではなく、複数設けても良い。この場合の構成は、例えば、流検弁の二次側配管であるスプリンクラ配管の途中で、複数の枝管を分岐し、それぞれの分岐管に定流量弁を介して手洗い蛇口、散水栓、シャワー水栓などを接続するようにしてもよい。
この場合、定流量弁の流量合計を流検弁の作動流量未満とする。このようにすると、例えば、末端の定流量弁から長い配管を引き回す事無く、最寄りのスプリンクラ配管から放出口を取り出すことができるので、配管作業が容易となる。
【００２２】
（５）流検弁１個を用いて、大容量の放出を小容量の放出から識別できるようにしたが、複数の容量レベルの放出もレベル毎に識別できるようにするために、異る作動流量の流検弁を直列に複数設け、その二次側配管に設けられる各種容量レベルの放出口を、これらの流検弁の数より１種類多く設けて構成するようにしても良い。例えば、２つの異る作動流量（例えば、５０Ｌ／min.と２０Ｌ／min.）の流検弁を直列に近接して設ける場合は、これらの流検弁の二次側配管に分岐接続させて大中小３つの容量レベルを持つ放出口、例えば、８０Ｌ／min.の消火栓、３０Ｌ／min.の閉鎖型スプリンクラヘッド、１０Ｌ／min.の定流量弁を介した給水栓、を設けるように構成するとよい。
【００２３】
このようにすると、作動は次のようになる。
まず、給水栓が開かれると１０Ｌ／min.の流量に抑える定流量弁に水が流れるので、いずれの流検弁も作動することはない。
３０Ｌ／min.のヘッドが一個開くと２０Ｌ／min.の流検弁だけが作動して、中容量放出口から放水されていることを知ることができる。
そして、８０Ｌ／min.の消火栓だけを放出させると、二つの流検弁が作動して、大容量放出口から放出されていることを知ることができる。
このようにして、複数の容量レベルの放出もレベル毎に認識できる。
【００２４】
【発明の効果】
この発明は以上の様に、簡単な構成により、大容量放出口からの放水を確実に検出することができる。
従って、従来例に比べ、機器費用、工事費を安価にすることができる。
【図面の簡単な説明】
【図１】本発明の実施例を示す略図である。
【図２】流検弁の拡大断面図である。
【符号の説明】
１      流検弁
２０      二次側配管
２１      閉鎖型スプリンクラヘッド
２２      定流量弁
【図１】
0003985200.tif 000002
【図２】
0003985200.tif 000003